(57)【要約】【課題】受信電力の強さによらず、一定の強さの応答波を出力する無線タグも連続的に初期化できる無線タグ初期化装置及び無線タグ初期化方法を提供する。【解決手段】無線タグ初期化装置は、初期化対象の無線タグだけが起動し、他の無線タグが起動しない第１の閾値まで給電力を弱め、Ｓｅｓｓｉｏｎ  ０以外によってインベントリラウンドを開始し、初期化対象の無線タグのＳＬフラグを反転させ、初期値の書き込みに十分な第２の閾値まで給電力を上昇させ、ＳＬフラグが反転している無線タグだけに初期値を書き込むリーダライタを備える。【選択図】図３
2014142759.tif 000002
【特許請求の範囲】
【請求項１】
初期化対象の無線タグだけが起動し、他の無線タグが起動しない第１の閾値まで給電力を弱め、
前記初期化対象の無線タグのＳＬフラグを反転させ、
Ｓｅｓｓｉｏｎ  ０以外によってインベントリラウンドを開始して前記ＳＬフラグが反転している前記無線タグだけを応答ステートに遷移させ、
初期値の書き込みに十分な第２の閾値まで給電力を上昇させ、
前記無線タグに初期値を書き込むコマンドを送信する
リーダライタを備える無線タグ初期化装置。
【請求項２】
前記リーダライタは、
一つのインベントリラウンド内においては、給電力を前記初期化対象の無線タグが前記ＳＬフラグを再反転させる第３の閾値より強く、前記初期化対象の無線タグだけを起動させる第１の閾値以下の範囲に保つ請求項１記載の無線タグ初期化装置。
【請求項３】
リーダライタの給電力を初期化対象の無線タグだけが起動し、他の無線タグが起動しない第１の閾値まで弱め、
前記リーダライタによって前記初期化対象の無線タグのＳＬフラグを反転させ、
前記リーダライタによってＳｅｓｓｉｏｎ  ０以外によってインベントリラウンドを開始して前記ＳＬフラグが反転している前記無線タグだけを応答ステートに遷移させ、
前記リーダライタの給電力を初期値の書き込みに十分な第２の閾値まで上昇させ、
前記リーダライタによって前記無線タグに初期値を書き込むコマンドを送信する
無線タグ初期化方法。
【請求項４】
前記リーダライタは、
一つのインベントリラウンド内においては、給電力を前記初期化対象の無線タグが前記ＳＬフラグを再反転させる第３の閾値より強く、前記初期化対象の無線タグだけを起動させる第１の閾値以下の範囲に保つ請求項３記載の無線タグ初期化方法。
【請求項５】
前記初期化対象の無線タグに前記初期値を書き込んだ後、前記初期化対象の無線タグへの給電力を前記第３の閾値以下に弱めることによって前記ＳＬフラグを再反転させる請求項４記載の無線タグ初期化方法。
【発明の詳細な説明】
【技術分野】
【０００１】
本発明の実施形態は、無線タグ初期化装置及び無線タグ初期化方法に関する。
【背景技術】
【０００２】
無線タグは電磁気的方法により情報を無線タグ内部に保持する。この無線タグ内部に保持された情報を、リーダライタを用いて読み取ることにより無線タグが識別される。
【０００３】
この識別に用いられる情報を無線タグに書き込むことを無線タグの初期化という。
【０００４】
無線タグを多数初期化する必要がある場合には無線タグ初期化装置が用いられる。この無線タグ初期化装置は、台紙に指示された複数の無線タグを一つのリーダライタによって連続的に初期化する。従って、初期化する無線タグをどのように特定するかが問題となる。
【０００５】
従来の無線タグ初期化装置は、無線タグからの応答波の強さを測定して初期化対象のタグを特定していた。
【０００６】
しかし、無線タグの中には受信電力の強さによらず、一定の強さの応答波を出力するものがある。従って、このような種類の無線タグは従来の方法では初期化対象のタグを特定できない。
【先行技術文献】
【特許文献】
【０００７】
【特許文献１】特開２００８−１３４７１１号公報
【発明の概要】
【発明が解決しようとする課題】
【０００８】
従って、受信電力の強さによらず、一定の強さの応答波を出力する無線タグも連続的に初期化できる無線タグ初期化装置及び無線タグ初期化方法が求められている。
【課題を解決するための手段】
【０００９】
上記の課題を解決するために、本発明の一実施形態は、初期化対象の無線タグだけが起動し、他の無線タグが起動しない第１の閾値まで給電力を弱め、初期化対象の無線タグのＳＬフラグを反転させ、Ｓｅｓｓｉｏｎ  ０以外によってインベントリラウンドを開始してＳＬフラグが反転している無線タグだけを応答ステートに遷移させ、初期値の書き込みに十分な第２の閾値まで給電力を上昇させ、無線タグに初期値を書き込むコマンドを送信するリーダライタを備える無線タグ初期化装置を提供する。
【図面の簡単な説明】
【００１０】
【図１】無線タグ初期化装置の構成を示す図である。
【図２】無線タグとリーダライタとの構成を示すブロック図である。
【図３】無線タグ初期化装置の初期化動作を示すフローチャートである。
【発明を実施するための形態】
【００１１】
以下、無線タグ初期化装置及び無線タグ初期化方法の一実施形態について、図面を用いて詳細に説明する。
【００１２】
本実施形態の無線タグ初期化装置は、初期化対象の無線タグだけが起動し、他の無線タグが起動しない第１の閾値まで給電力を弱め、初期化対象の無線タグのＳＬフラグを反転させ、Ｓｅｓｓｉｏｎ  ０以外によってインベントリラウンドを開始してＳＬフラグが反転している無線タグだけを応答ステートに遷移させ、初期値の書き込みに十分な第２の閾値まで給電力を上昇させ、無線タグに初期値を書き込むコマンドを送信するリーダライタを備える。
【００１３】
図１は、本実施形態の無線タグ初期化装置１０の構成を示す図である。図１に示すように、無線タグ初期化装置１０は、ＣＰＵを含む主制御部１１と、ＲＯＭ、ＲＡＭ、フラッシュＲＯＭ、ハードディスクドライブなどの記憶装置１２と、無線タグ１１０に対して情報を読み書きするリーダライタ１２０と、を備える。
【００１４】
記憶装置１２は、後述する初期値、第１の閾値、第２の閾値、及び第３の閾値を格納する。
【００１５】
無線タグ初期化装置１０の主制御部１１及び記憶装置１２は後述するリーダライタ制御部１２６が兼ねていてもよい。
【００１６】
無線タグ初期化装置１０はリーダライタ１２０によって台紙２０に支持された初期化対象の無線タグ１１０を初期化し、他の無線タグ１１０Ａは同時には初期化しない。
【００１７】
無線タグ初期化装置１０はリーダライタ１２０によって台紙２０に指示された無線タグ１１０、１２０Ａのうち、順次初期化の対象となる無線タグ１１０を変えて初期化する。
【００１８】
図２は、無線タグ１１０とリーダライタ１２０との構成を示すブロック図である。図２に示すように、無線タグ１１０は、記憶装置であるメモリ１１１と、メモリ１１１へのデータの読み書きを行う無線タグ制御部１１２と、受信した変調電磁波の整流と安定化を行うことにより電源を供給する電源生成部１１５と、信号を送受信するためのアンテナである無線タグアンテナ１１６と、無線タグ制御部１１２から送出されたデータを変調して無線タグアンテナ１１６に送出する変調部１１３と、受信した変調電磁波を復調して無線タグ制御部１１２へ送出する復調部１１４とを備える。
【００１９】
リーダライタ１２０は、無線タグ１１０との通信を制御し、接続する各ハードウエアを制御するリーダライタ制御部１２６と、リーダライタ制御部１２６から送出された信号を変調する変調部１２２と、変調された信号を増幅してサーキュレータ１３１を介してアンテナ１２１に送出する送信アンプ１２３と、各アンテナからサーキュレータ１３１を介して受信した変調電磁波を増幅する受信アンプ１２４と、受信した変調信号を復調する復調部１２５と、画像処理装置１の制御部に接続し、データの授受を行うインターフェース１３０と、を備える。またリーダライタ制御部１２６は、ＣＰＵ１２７及びデータを格納するメモリであるＲＯＭ１２８及びＲＡＭ１２９を備える。
【００２０】
無線タグ初期化装置１０の初期化動作によって、初期値が無線タグ１１０のメモリ１１１に格納される。この初期値は、例えば無線タグ１１０に貼付されるバーコードが示す値と同じである。
【００２１】
図３は、無線タグ初期化装置１０の初期化動作を示すフローチャートである。図３に示すように、ステップ３０１において、無線タグ初期化装置１０は供給電力を第１の閾値まで低下させる。
【００２２】
ここで、第１の閾値は、初期化対象の無線タグ１１０だけが起動し、他の無線タグ１１０Ａは起動しない電力である。この電力であれば、リーダライタ１２０のアンテナ１２１に最も近い無線タグ１１０だけが起動する。
【００２３】
この第１の閾値は、リーダライタ１２０のアンテナ１２１に最も近い無線タグ１１０だけが起動する電力を予め実測して求めておき、無線タグ初期化装置１０の記憶装置１２に格納される。
【００２４】
ステップ３０２において、無線タグ初期化装置１０は初期化対象の無線タグ１１０にｓｅｌｅｃｔコマンドを送信して選択する。
【００２５】
ステップ３０３において、無線タグ１１０はＳＬフラグを反転させる。
【００２６】
無線タグ１１０はＳＬフラグとしてＡ又はＢを保持する。例えば、無線タグ１１０が保持していたＳＬフラグの初期値がＡの場合、無線タグ１１０はｓｅｌｅｃｔコマンドを受信するとＳＬフラグをＢに反転させる。
【００２７】
ここで、初期化対象でない無線タグ１１０Ａは、給電力が起動電力に満たないため起動せず、ＳＬフラグの反転が行われない。よって、初期化対象の無線タグ１１０だけが、ＳＬフラグの反転が行われる。
【００２８】
この場合の無線タグ初期化装置１０からの給電力は、無線タグ１１０のフラグを反転させることはできるが、初期値を書き込むには弱すぎる。
【００２９】
ステップ３０４において、無線タグ初期化装置１０はＱｕｅｒｙコマンドを送信し、Ｓｅｓｓｉｏｎ  ０以外のセッションによってインベントリラウンドを開始する。
【００３０】
この際、無線タグ初期化装置１０はＱｕｅｒｙコマンドのパラメータを反転したＳＬフラグに合わせてＱｕｅｒｙコマンドを無線タグ１１０に送信する。
【００３１】
Ｓｅｓｓｉｏｎ  ０以外のセッション、すなわちＳｅｓｓｉｏｎ  １乃至３においては、無線タグ１１０は無線タグ１１０への給電が停止しても所定時間ＳＬフラグの値を保持する。
【００３２】
ステップ３０５において、ＳＬフラグが反転している無線タグ１１０はＱｕｅｒｙコマンドを受信すると、Ｑｕｅｒｙコマンドのパラメータを反転したＳＬフラグが合っているため応答ステートに遷移し、他の無線タグ１１０Ａはスタンバイステートに遷移する。
【００３３】
無線タグ１１０は応答ステートに遷移するとＷｒｉｔｅコマンドの受付が可能となり、他の無線タグ１１０Ａはスタンバイステートに遷移するためＷｒｉｔｅコマンドは受け付けなくなる。
【００３４】
ステップ３０６において、無線タグ初期化装置１０は給電力を初期値の書き込みが可能な第２の閾値まで上昇させる。
【００３５】
ステップ３０８において、無線タグ初期化装置１０はＷｒｉｔｅコマンドによって初期値を無線タグ１１０に書き込む指示を送信する。
【００３６】
ステップ３０９において、無線タグ１１０は初期値をメモリ１１１に格納する。
【００３７】
すなわち、応答ステートにある無線タグ１１０だけがこのＷｒｉｔｅコマンドを受け付け、初期値をメモリ１１１に書き込む。スタンバイステートにある他の無線タグ１１０ＡはＷｒｉｔｅコマンドを受け付けない。
【００３８】
ステップ３１０において、給電力を第３の閾値まで低下させる。この第３の閾値は無線タグ１１０がＳＬフラグを反転させる程度に弱い電力である。
【００３９】
なお、無線タグ１１０を移動させることによって給電される電力を弱めてもよい。
【００４０】
ステップ３１１において、無線タグ１１０は保持していたＳＬフラグ、先の例ではＢをＡに反転する。
【００４１】
ここで、上述のステップ３０４からステップ３１０、すなわち一つのインベントリラウンド内では、無線タグ初期化装置１０は給電力を、無線タグ１１０がＳＬフラグを再反転させる第３の閾値より強く、初期化対象の無線タグ１１０だけを起動させる第１の閾値以下の範囲に保つ。
【００４２】
以上述べたように、本実施形態の無線タグ初期化装置１０は、初期化対象の無線タグ１１０だけが起動し、他の無線タグ１１０Ａが起動しない第１の閾値まで給電力を弱め、初期化対象の無線タグのＳＬフラグを反転させ、Ｓｅｓｓｉｏｎ  ０以外によってインベントリラウンドを開始してＳＬフラグが反転している無線タグ１１０だけを応答ステートに遷移させ、初期値の書き込みに十分な第２の閾値まで給電力を上昇させ、無線タグ１１０に初期値を書き込むコマンドを送信するリーダライタ１２０を備える。
【００４３】
従って、受信電力の強さによらず、一定の強さの応答波を出力する無線タグも連続的に初期化できるという効果がある。
【００４４】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４５】
１１０：無線タグ
１２０：リーダライタ
【図１】
2014142759.tif 000003
【図２】
2014142759.tif 000004
【図３】
2014142759.tif 000005